(57)【要約】【課題】携帯式電子装置を支持できると共に、携帯式電子装置に充電することができる多機能アセンブリを提供すること。【解決手段】本発明に係る多機能アセンブリは、携帯式電子装置に取り付けられて使用される。多機能アセンブリは、ベースプレート、支持部品、及び感応式充電ユニットを構成する無線周波送信モジュールを備え、支持部品は、ヒンジを介してベースプレートに連結されて、携帯式電子装置を支持し、感応式充電ユニットは、支持部品に設置された無線周波送信モジュール及び携帯式電子装置の内部に組み込まれた無線周波受信モジュールを備え、無線周波送信モジュールは、無線周波受信モジュールと無線通信関係を確立して、非接触感応方式を介して携帯式電子装置に充電する。【選択図】図１
2014220807.tif 000002
【特許請求の範囲】
【請求項１】
携帯式電子装置に取り付けられて使用される多機能アセンブリであって、
前記多機能アセンブリは、ベースプレート、支持部品、及び感応式充電ユニットを構成する無線周波送信モジュールを備え、
前記支持部品は、回転軸を介して前記ベースプレートに連結されて、前記携帯式電子装置を支持し、
前記感応式充電ユニットは、前記支持部品に設置された前記無線周波送信モジュール及び前記携帯式電子装置の内部に組み込まれた無線周波受信モジュールを備え、前記無線周波送信モジュールは、前記無線周波受信モジュールと無線通信関係を確立して、非接触感応方式を介して前記携帯式電子装置に充電することを特徴とする多機能アセンブリ。
【請求項２】
前記ベースプレートには、２つの切欠きが設けられており、前記支持部品は、２つの回転部を含み、前記２つの回転部は、それぞれ１つの切欠き内に装着され、且つそれぞれ１つの回転軸を介して前記ベースプレートに回転可能に連結されることを特徴とする請求項１に記載の多機能アセンブリ。
【請求項３】
前記支持部品は、支持板をさらに備え、前記支持板の一側は、前記２つの回転部と、前記支持板と前記回転部との接続部分が弧状局面を形成するように連接され、前記支持板の他側は、前記携帯式電子装置の画面の面方向に対して平行に延在することを特徴とする請求項２に記載の多機能アセンブリ。
【請求項４】
前記支持板と前記２つの回転部との間には、前記携帯式電子装置を挟持するための係合空間が形成されていることを特徴とする請求項３に記載の多機能アセンブリ。
【請求項５】
前記支持板は、前記携帯式電子装置と互いに面するように位置する内面を備え、前記無線周波送信モジュールは、前記支持板の前記内面に設けられていることを特徴とする請求項４に記載の多機能アセンブリ。
【請求項６】
前記無線周波送信モジュールは、無線周波変調回路及び前記無線周波変調回路に電気的に接続されている放射コイルを備え、前記無線周波変調回路は、前記放射コイルを介して無線信号を送信することを特徴とする請求項５に記載の多機能アセンブリ。
【請求項７】
前記無線周波受信モジュールは、誘導コイル及び前記誘導コイルに電気的に接続される整流レギュレータ回路を備え、前記誘導コイルは、共振方式を介して前記無線周波送信モジュールが送信した無線信号を受信して、電流を生成し、前記整流レギュレータ回路は、前記誘導コイルが生成した電流を整流して電圧を安定化させて、前記携帯式電子装置に充電することを特徴とする請求項６に記載の多機能アセンブリ。
【発明の詳細な説明】
【技術分野】
【０００１】
本発明は、携帯式電子装置に取り付けて使用する多機能アセンブリに関し、特に携帯式電子装置に充電することができる多機能支持アセンブリに関するものである。
【背景技術】
【０００２】
近年、タブレットパソコン等の携帯式電子装置が多く普及しているが、タブレットパソコンをデスク等に置いて使用する場合、優れた視覚効果を得るために、タブレットパソコンを支持固定するための装置又は機構を必要とする。また、タブレットパソコンの電池の電力量は制限されており、長時間使用した場合は、タブレットパソコンを充電する必要がある。
【発明の概要】
【発明が解決しようとする課題】
【０００３】
以上の問題点に鑑みて、本発明は、携帯式電子装置を支持できると共に、携帯式電子装置に充電することができる多機能アセンブリを提供することを目的とする。
【課題を解決するための手段】
【０００４】
上記の課題を解決するために、本発明に係る多機能アセンブリは、携帯式電子装置に取り付けられて使用される。前記多機能アセンブリは、ベースプレート、支持部品、及び感応式充電ユニットを構成する無線周波送信モジュールを備え、前記支持部品は、回転軸を介して前記ベースプレートに連結されて、前記携帯式電子装置を支持し、前記感応式充電ユニットは、前記支持部品に設置された前記無線周波送信モジュール及び前記携帯式電子装置の内部に組み込まれた無線周波受信モジュールを備え、前記無線周波送信モジュールは、前記無線周波受信モジュールと無線通信関係を確立して、非接触感応方式を介して前記携帯式電子装置に充電する。
【発明の効果】
【０００５】
本発明の多機能アセンブリは、支持部品及びベースプレートを介して携帯式電子装置を支持できるだけでなく、感応式充電ユニットを介して携帯式電子装置に充電できるので、便利である。
【図面の簡単な説明】
【０００６】
【図１】本発明の第一実施形態に係る携帯式電子装置に取り付けられる多機能アセンブリの分解図である。
【図２】図１に示した携帯式電子装置に取り付けられる多機能アセンブリの別の方向からの分解図である。
【図３】図１に示した携帯式電子装置に取り付けられる多機能アセンブリの組立図であり、携帯式電子装置は閉じた状態にある。
【図４】図１に示した携帯式電子装置に取り付けられる多機能アセンブリの組立図であり、携帯式電子装置は開いた状態にある。
【図５】図１に示した携帯式電子装置に取付けられる多機能アセンブリの感応式充電ユニットの機能モジュールを示すブロック図である。
【図６】本発明の第二実施携帯に係る携帯式電子装置に取付けられる多機能アセンブリを示す図である。
【発明を実施するための形態】
【０００７】
図１及び図２に示すように、本発明の第一実施形態に係る多機能アセンブリ１００は、携帯式電子装置２００を支持するとともに、携帯式電子装置２００に充電するために用いられる。携帯式電子装置２００は、タブレットパソコン、携帯電話機、携帯情報端末（ＰＤＡ）等が挙げられる。本実施形態の携帯式電子装置２００は、タブレットパソコンを例として説明する。
【０００８】
多機能アセンブリ１００は、ベースプレート１０、支持部品２０、及び感応式充電ユニット３０を構成する無線周波送信モジュール４０を備える。ベースプレート１０は、ほぼ矩形の板体であり、その一方側に２つの切欠き１２が設けられている。支持部品２０は、携帯式電子装置２００を支持するために用いられ、且つ２つの切欠き１２を介してベースプレート１０に装着される。
【０００９】
具体的には、支持部品２０は、２つの回転部２２及び当該２つの回転部２２と一体に連接された支持板２４を備える。２つの回転部２２は、筒状を呈し、それぞれ１つの切欠き１２内に装着され、且つ１つの回転軸（図示しない）を介してベースプレート１０に回転可能に連結される。支持板２４の一側は、２つの回転部２２と、支持板２４と回転部２２との接続部分が弧状局面を形成するように連接され、支持板２４の他側は、携帯式電子装置２００の画面の面方向に対して平行に延在する。これにより、支持板２４と２つの回転部２２との間には、係合空間２６が形成される。携帯式電子装置２００の一端は、係合空間２６内に係止される。また、支持板２４は、内面２４２をさらに備える。内面２４２は、ベースプレート１０の内面と互いに面するように位置する（図２を参照）。
【００１０】
感応式充電ユニット３０は、非接触感応方式を介して携帯式電子装置２００に充電するために、無線周波送信モジュール４０及び無線周波受信モジュール５０を備える。無線周波送信モジュール４０は、支持板２４の内面２４２に着脱可能に設置されている。無線周波受信モジュール５０は、携帯式電子装置２００の内部に設置されている。
【００１１】
図５に示すように、無線周波送信モジュール４０は、無線周波変調回路４２及び無線周波変調回路４２に電気的に接続される放射コイル４４を備える。無線周波変調回路４２は、放射コイル４４を介して無線信号を送信する。無線周波受信モジュール５０は、誘導コイル５２及び誘導コイル５２に電気的に接続される整流レギュレータ回路５４を備える。本実施形態において、誘導コイル５２は、携帯式電子装置２００のスクリーンの下方に位置する。整流レギュレータ回路５４は、携帯式電子装置２００の電池に電気的に接続される。誘導コイル５２は、共振方式を介して無線周波送信モジュール４０が送信した無線信号を受信して、電流を生成する。その後、整流レギュレータ回路５４は、誘導コイル５２が生成した電流を整流して電圧を安定化させ、さらに携帯式電子装置２００に充電する。
【００１２】
図３及び図４に示すように、多機能アセンブリ１００を携帯式電子装置２００に取り付ける場合、支持部品２０を２つの回転部２２を介してベースプレート１０に枢着した後、携帯式電子装置２００の長辺方向に沿う一端を、支持板２４と２つの回転部２２との間の係合空間２６内に収容して装着する。これにより、携帯式電子装置２００は、支持部品２０によって、ベースプレート１０に対して開く及び閉じるの２つの状態の間で切り替えることができる。
【００１３】
具体的には、携帯式電子装置２００を使用する場合、携帯式電子装置２００を持って、携帯式電子装置２００の一端をベースプレート１０から離れるように移動させる。これにより、支持部品２０は、前記回転軸の周りで回転して、ベースプレート１０に対して所望の傾斜角度で携帯式電子装置２００を支持することができる。
【００１４】
また、携帯式電子装置２００を使用しない場合、携帯式電子装置２００を係合空間２６内から取り出すか、又は直接に支持部品２０をベースプレート１０に近づくように回転させることにより、携帯式電子装置２００を支持部品２０の支持板２４とベースプレート１０との間に挟持させることができる。
【００１５】
携帯式電子装置２００が係合空間２６内に装着された後、支持板２４の内面２４２に設置された無線周波送信モジュール４０は、携帯式電子装置２００と接触し、且つ無線周波受信モジュール５０と通信関係を確立する。これにより、多機能アセンブリ１００は、感応式充電ユニット３０を介して携帯式電子装置２００に充電することができる。充電する過程において、本発明は非接触感応方式によって充電する。従って、携帯式電子装置２００のコネクタポートを使用する必要がないため非常に便利である。さらに、多機能アセンブリ１００は、コネクタポートが設けられていない携帯式電子装置２００に充電できるため、携帯式電子装置２００に美観を与えることができる。
【００１６】
図６に示すように、本発明の第二実施形態に係る多機能アセンブリ３００の第一実施形態の多機能アセンブリ１００と異なる点は、第二実施形態に係るベースプレート１０には、キーボード１６及びこのキーボード１６に電気的に接続されたコネクタポート１８が設けられている点である。携帯式電子装置２００がベースプレート１０に対して開いている状態の場合、携帯式電子装置２００のコネクタポート（図示しない）は、データライン等を介して、ベースプレート１０のコネクタポート１８と電気的に接続することができる。これにより、ベースプレート１０のキーボード１６を介して、携帯式電子装置２００を容易にコントロールすることができる。
【符号の説明】
【００１７】
１０  ベースプレート
１２  切欠き
１６  キーボード
１８  コネクタポート
２０  支持部品
２２  回転部
２４  支持板
２４２  内面
２６  係合空間
３０  感応式充電ユニット
４０  無線周波送信モジュール
４２  無線周波変調回路
４４  放射コイル
５０  無線周波受信モジュール
５２  誘導コイル
５４  整流レギュレータ回路
１００  多機能アセンブリ
２００  携帯式電子装置
３００  多機能アセンブリ
【図１】
2014220807.tif 000003
【図２】
2014220807.tif 000004
【図３】
2014220807.tif 000005
【図４】
2014220807.tif 000006
【図５】
2014220807.tif 000007
【図６】
2014220807.tif 000008